【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
第１の吐出データに従ってインクを吐出するノズルが所定の方向に配列された第１のノズル列と、第２の吐出データに従ってインクを吐出するノズルが前記所定の方向に配列された第２のノズル列が、前記所定の方向と交差する方向に並び、且つ、前記第１のノズル列の配列されたノズルと前記第２のノズル列の配列されたノズルとが前記所定の方向にずれるように配された記録ヘッドを、前記第１のノズル列の吐出動作に伴う記録媒体に対するインクの着弾が前記第２のノズル列の吐出動作に伴う前記記録媒体に対するインクの着弾よりも遅いタイミングで行われるように、前記記録媒体に対し相対移動させることによって画像を記録するためのデータを処理する画像処理装置であって、
前記第１のノズル列に対応する画素と前記第２のノズル列に対応する画素に対し等しい画像データが入力された場合に、前記第１のノズル列がインクを吐出する回数が前記第２のノズル列がインクを吐出する回数よりも多くなるように、前記画像データに基づいて前記第１の吐出データおよび前記第２の吐出データを生成する生成手段を備えることを特徴とする画像処理装置。
【請求項２】
前記画像データは画像濃度を示す多値データであり、
前記生成手段は、画素の位置に対応する閾値が予め定められている閾値マトリクスを参照し、個々の画素について前記多値データと前記閾値マトリクスに定められている閾値を比較して、前記多値データが閾値以上の値を有する場合にはドットの記録を示し、前記多値データが閾値より小さい値を有する場合には非記録を示すように、前記第１の吐出データと前記第２の吐出データを生成し、
前記閾値マトリクスには、前記第１のノズル列に対応する閾値の平均値が前記第２のノズル列に対応する閾値の平均値よりも小さくなるように、各画素の位置に対応する閾値が設定されていることを特徴とする請求項１に記載の画像処理装置。
【請求項３】
前記閾値マトリクスには、前記第１のノズル列がインクを吐出する回数と前記第２のノズル列がインクを吐出する回数の割合が、前記多値データが示す値に応じて変化するように、各画素の位置に対応する閾値が設定されていることを特徴とする請求項２に記載の画像処理装置。
【請求項４】
前記閾値マトリクスには、前記第１のノズル列に対応する画素と前記第２のノズル列に対応する画素に対し等しい画像データが入力された場合に、前記第１のノズル列がインクを吐出する回数が前記第２のノズル列がインクを吐出する回数よりも多く、且つ、前記第１のノズル列のノズルが吐出しない連続回数が、前記第２のノズル列のノズルが吐出しない連続回数よりも多くなるように、各画素の位置に対応する閾値が設定されていることを特徴とする請求項２に記載の画像処理装置。
【請求項５】
前記閾値マトリクスには、前記第１の吐出データおよび前記第２の吐出データに従って前記記録媒体に記録動作を行った結果のドットの配置がブルーノイズ特性を有するように、閾値が設定されていることを特徴とする請求項２ないし４のいずれか１項に記載の画像処理装置。
【請求項６】
前記記録ヘッドには、前記交差する方向において前記第１のノズル列と前記第２のノズル列との間に、第３の吐出データに従ってインクを吐出するノズルが前記所定の方向に配列された第３のノズル列が、前記第３のノズル列の配列されたノズルが前記第１のノズル列のノズルおよび前記第２のノズル列の配列されたノズルと前記所定の方向にずれるように、配されていることを特徴とする請求項１に記載の画像処理装置。
【請求項７】
前記第３のノズル列の吐出動作に伴う前記記録媒体に対するインクの着弾は、前記第１のノズル列の吐出動作に伴う前記記録媒体に対するインクの着弾よりも早く、且つ、前記第２のノズル列の吐出動作に伴う前記記録媒体に対するインクの着弾よりも遅いタイミングで行われ、
前記生成手段は、前記第１のノズル列に対応する画素と前記第２のノズル列に対応する画素および前記第３のノズル列に対応する画素に対し等しい画像データが入力された場合に、前記第３のノズル列がインクを吐出する回数が前記第１のノズル列がインクを吐出する回数よりも少なく、且つ前記第２のノズル列がインクを吐出する回数よりも多くなるように、前記画像データに基づいて前記第１の吐出データ、前記第２の吐出データおよび前記第３の吐出データを生成することを特徴とする請求項６に記載の画像処理装置。
【請求項８】
前記画像データは画像濃度を示す多値データであり、
前記生成手段は、対象とする画素で２値化処理の際に発生する誤差を、前記２値化処理が未だ行われていない周囲の画素に所定の係数に従って分配しながら、前記２値化処理を行うことにより、前記第１の吐出データと前記第２の吐出データを生成し、
前記所定の係数は、前記第１のノズル列に対応する画素のほうが、前記第２のノズル列に対応する画素よりも多くの誤差が分配されるように、個々の画素に対応づけて設定されていることを特徴とする請求項１に記載の画像処理装置。
【請求項９】
前記画像データは画像濃度を示す多値データであり、
前記生成手段は、前記第１のノズル列に対応する前記多値データに、前記第２のノズル列に対応する前記多値データよりも大きな補正係数を乗算することによって、前記第１のノズル列に対応する補正後の多値データおよび前記第２のノズル列に対応する補正後の多値データをそれぞれ算出し、その後、前記第１のノズル列に対応する前記補正後の多値データおよび前記第２のノズル列に対応する前記補正後の多値データのそれぞれを２値化することにより、前記第１の吐出データおよび前記第２の吐出データを生成することを特徴とする請求項１に記載の画像処理装置。
【請求項１０】
第１の吐出データに従ってインクを吐出するノズルが所定の方向に配列された第１のノズル列と、第２の吐出データに従ってインクを吐出するノズルが前記所定の方向に配列された第２のノズル列が、前記所定の方向と交差する方向に並び、且つ前記第１のノズル列の配列されたノズルと前記第２のノズル列の配列されたノズルとが前記所定の方向にずれるように配された記録ヘッドを、前記第１のノズル列の吐出動作に伴う記録媒体に対するインクの着弾が前記第２のノズル列の吐出動作に伴う前記記録媒体に対するインクの着弾よりも遅いタイミングで行われるように、前記記録媒体に対し相対移動させることによって画像を記録するためのデータを処理する画像処理装置であって、
前記第１のノズル列に対応する画素と前記第２のノズル列に対応する画素に対し等しい画像データが入力された場合に、前記第１のノズル列が１回の吐出動作で吐出するインクの量が前記第２のノズル列が１回の吐出動作で吐出するインクの量よりも多くなるように、前記画像データに基づいて前記第１の吐出データおよび前記第２の吐出データを生成する生成手段を備えることを特徴とする画像処理装置。
【請求項１１】
前記記録ヘッドには、前記交差する方向において前記第１のノズル列と前記第２のノズル列との間に、第３の吐出データに従ってインクを吐出するノズルが前記所定の方向に配列された第３のノズル列が、前記第３のノズル列の配列されたノズルが前記第１のノズル列のノズルおよび前記第２のノズル列の配列されたノズルと前記所定の方向にずれるように、配されていることを特徴とする請求項１０に記載の画像処理装置。
【請求項１２】
第１の吐出データに従ってインクを吐出するノズルが所定の方向に配列された第１のノズル列と、第２の吐出データに従ってインクを吐出するノズルが前記所定の方向に配列された第２のノズル列が、前記所定の方向と交差する方向に並び、且つ、前記第１のノズル列の配列されたノズルと前記第２のノズル列の配列されたノズルとが前記所定の方向にずれるように配された記録ヘッドを、前記第１のノズル列の吐出動作に伴う記録媒体に対するインクの着弾が前記第２のノズル列の吐出動作に伴う前記記録媒体に対するインクの着弾よりも遅いタイミングで行われるように、前記記録媒体に対し相対移動させることによって画像を記録するためのデータを処理する画像処理装置であって、
前記第１のノズル列に対応する画素と前記第２のノズル列に対応する画素に対し等しい画像データが入力された場合に、前記第１のノズル列がインクを吐出する回数が前記第２のノズル列がインクを吐出する回数よりも多くなるように、且つ、前記第１のノズル列が１回の吐出動作で吐出するインクの量が前記第２のノズル列が１回の吐出動作で吐出するインクの量よりも多くなるように、前記画像データに基づいて前記第１の吐出データおよび前記第２の吐出データを生成する生成手段を備えることを特徴とする画像処理装置。
【請求項１３】
前記記録ヘッドには、前記交差する方向において前記第１のノズル列と前記第２のノズル列との間に、第３の吐出データに従ってインクを吐出するノズルが前記所定の方向に配列された第３のノズル列が、前記第３のノズル列の配列されたノズルが前記第１のノズル列のノズルおよび前記第２のノズル列の配列されたノズルと前記所定の方向にずれるように、配されていることを特徴とする請求項１２に記載の画像処理装置。
【請求項１４】
前記第１のノズル列は前記第２のノズル列よりも前記記録媒体に対し前記相対移動の下流側に配置されていることを特徴とする請求項１ないし１３のいずれか１項に記載の画像処理装置。
【請求項１５】
前記第１の吐出データおよび前記第２の吐出データに従って前記記録ヘッドからインクを吐出させながら、当該記録ヘッドを前記記録媒体に相対移動させることにより画像を記録する記録手段をさらに備えていることを特徴とする請求項１ないし１４のいずれか１項に記載の画像処理装置。
【請求項１６】
第１の吐出データに従ってインクを吐出するノズルが所定の方向に配列された第１のノズル列と、第２の吐出データに従ってインクを吐出するノズルが前記所定の方向に配列された第２のノズル列が、前記所定の方向と交差する方向に並び、且つ、前記第１のノズル列の配列されたノズルと前記第２のノズル列の配列されたノズルとが前記所定の方向にずれるように配された記録ヘッドを、前記第１のノズル列の吐出動作に伴う記録媒体に対するインクの着弾が前記第２のノズル列の吐出動作に伴う前記記録媒体に対するインクの着弾よりも遅いタイミングで行われるように、前記記録媒体に対し相対移動させることによって画像を記録するためのデータを処理する画像処理方法であって、
前記第１のノズル列に対応する画素と前記第２のノズル列に対応する画素に対し等しい画像データが入力された場合に、前記第１のノズル列がインクを吐出する回数が前記第２のノズル列がインクを吐出する回数よりも多くなるように、前記画像データに基づいて前記第１の吐出データおよび前記第２の吐出データを生成する生成工程を有することを特徴とする画像処理方法。
【請求項１７】
前記記録ヘッドには、前記交差する方向において前記第１のノズル列と前記第２のノズル列との間に、第３の吐出データに従ってインクを吐出するノズルが前記所定の方向に配列された第３のノズル列が、前記第３のノズル列の配列されたノズルが前記第１のノズル列のノズルおよび前記第２のノズル列の配列されたノズルと前記所定の方向にずれるように、配されていることを特徴とする請求項１６に記載の画像処理方法。
【請求項１８】
第１の吐出データに従ってインクを吐出するノズルが所定の方向に配列された第１のノズル列と、第２の吐出データに従ってインクを吐出するノズルが前記所定の方向に配列された第２のノズル列が、前記所定の方向と交差する方向に並び、且つ、前記第１のノズル列の配列されたノズルと前記第２のノズル列の配列されたノズルとが前記所定の方向にずれるように配された記録ヘッドを、前記第１のノズル列の吐出動作に伴う記録媒体に対するインクの着弾が前記第２のノズル列の吐出動作に伴う前記記録媒体に対するインクの着弾よりも遅いタイミングで行われるように、前記記録媒体に対し相対移動させることによって画像を記録するためのデータを処理する画像処理方法であって、
前記第１のノズル列に対応する画素と前記第２のノズル列に対応する画素に対し等しい画像データが入力された場合に、前記第１のノズル列が１回の吐出動作で吐出するインクの量が前記第２のノズル列が１回の吐出動作で吐出するインクの量よりも多くなるように、前記画像データに基づいて前記第１の吐出データおよび前記第２の吐出データを生成する生成工程を有することを特徴とする画像処理方法。
【請求項１９】
前記記録ヘッドには、前記交差する方向において前記第１のノズル列と前記第２のノズル列との間に、第３の吐出データに従ってインクを吐出するノズルが前記所定の方向に配列された第３のノズル列が、前記第３のノズル列の配列されたノズルが前記第１のノズル列のノズルおよび前記第２のノズル列の配列されたノズルと前記所定の方向にずれるように、配されていることを特徴とする請求項１８に記載の画像処理方法。
【手続補正２】
【補正対象書類名】明細書
【補正対象項目名】０００８
【補正方法】変更
【補正の内容】
【０００８】
そのために本発明は、第１の吐出データに従ってインクを吐出するノズルが所定の方向に配列された第１のノズル列と、第２の吐出データに従ってインクを吐出するノズルが前記所定の方向に配列された第２のノズル列が、前記所定の方向と交差する方向に並び、且つ、前記第１のノズル列の配列されたノズルと前記第２のノズル列の配列されたノズルとが前記所定の方向にずれるように配された記録ヘッドを、前記第１のノズル列の吐出動作に伴う記録媒体に対するインクの着弾が前記第２のノズル列の吐出動作に伴う前記記録媒体に対するインクの着弾よりも遅いタイミングで行われるように、前記記録媒体に対し相対移動させることによって画像を記録するためのデータを処理する画像処理装置であって、前記第１のノズル列に対応する画素と前記第２のノズル列に対応する画素に対し等しい画像データが入力された場合に、前記第１のノズル列がインクを吐出する回数が前記第２のノズル列がインクを吐出する回数よりも多くなるように、前記画像データに基づいて前記第１の吐出データおよび前記第２の吐出データを生成する生成手段を備えることを特徴とする。